(57)【特許請求の範囲】
【請求項１】
リムーバブル磁気ディスク装置を構成するデータカートリッジ装置用の筐体にカートリッジシェルが着脱自在に装着され、当該カートリッジシェルの内部にクッション部材を介して収納されると共に一端部にコネクタを有する扁平状のカートリッジ本体を備えて構成されたデータカートリッジ装置であって、
前記クッション部材を、前記カートリッジ本体の幅方向の両側壁にそれぞれ対向当接された第１部材および第２部材で構成し、
これらの第１部材および第２部材に、前記カートリッジ本体の幅方向の各端縁部を摩擦力で挟持する挟持用溝を形成し、
これらの挟持用溝を、当該各挟持用溝に前記カートリッジ本体が保持された状態で当該カートリッジ本体の他端部と当接する基点部から前記カートリッジ本体の前記一端部側の終点部に向けて拡がる形状の傾斜溝とすると共に、当該傾斜溝の底面と前記カートリッジ本体の幅方向の両側壁の間に当該カートリッジ本体が移動可能な隙間を設けたことを特徴とするデータカートリッジ装置。
【請求項２】
請求項１に記載したデータカートリッジ装置において、
前記挟持用溝の長さを前記カートリッジ本体の長さより長くしたことを特徴とするデータカートリッジ装置。
【請求項３】
請求項１または請求項２に記載したデータカートリッジ装置において、
前記第１部材および第２部材の前記挟持用溝の幅寸法を、前記カートリッジ本体の厚さ寸法以下としたことを特徴とするデータカートリッジ装置。
【請求項４】
請求項１ないし請求項３のいずれか一つに記載したデータカートリッジ装置において、
前記筐体を下蓋と当該下蓋に被せられる上蓋で構成すると共に、前記第１部材および第２部材のそれぞれの上下面、前後面および前記挟持用溝の反対側の側面に、前記第１部材および第２部材と一体形成されかつそれぞれの先端部が前記下蓋および上蓋の内側面に当接して前記第１部材および第２部材を位置決めする位置決め用突起部を設けたことを特徴とするデータカートリッジ装置。
【請求項５】
請求項４に記載したデータカートリッジ装置において、
前記下蓋および上蓋の前記カートリッジ本体のコネクタの前方に、当該カートリッジ本体のコネクタに結合する前記リムーバブル磁気ディスク装置のコネクタを挿通可能な切り欠き部を形成すると共にこの切り欠き部から前記カートリッジ本体の移動後の傾きを目視できるようにしたことを特徴とするデータカートリッジ装置。
【請求項６】
請求項１ないし請求項５のいずれか一つに記載したデータカートリッジ装置において、
前記カートリッジ本体のコネクタが前記第１部材および第２部材の中心部に位置するように前記カートリッジ本体を配置したことを特徴とするデータカートリッジ装置。
【発明の詳細な説明】
【技術分野】
【０００１】
本発明はデータカートリッジ装置に係り、さらに詳しくは、落下等により外部からの許容値以上の衝撃が加わった場合に、当該データカートリッジ装置を、以後リムーバブル磁気ディスク装置を構成するデータカートリッジ装置用筐体に装着できないことを確実に知ることができるデータカートリッジ装置に関する。
【背景技術】
【０００２】
近年、リムーバブルディスク(Removable Disk)や携帯電話等の電子機器の急激な小型化が進んでいる。
このような電子機器においては、使用中あるいは保持中の落下等により、大きな衝撃が加わり、故障する機会が極めて多い。そのため、電子機器には、優れた耐衝撃性が要求されている。
【０００３】
従来、落下等により電子機器に加えられた衝撃を電子機器内に配置された基板に伝わるまでに減少させることができ、電子機器の耐衝撃性を向上させることができる電子部品が知られている（例えば特許文献１参照）。
この特許文献１に開示された電子部品では、ハウジングに接続ピンを介して基板取付冶具が固定され、この基板取付冶具の支持部に基板の外周を差し込んで基板が支持部と接触されている。そして、支持部の内部に基板を挟み込む緩衝材であるシリコン系ゲル材料、あるいはスチレン系発砲材料が設けられている。
そして、基板は、支持部のシリコン系ゲル材料等との間に働く静止摩擦力により基板取付冶具に装着されるようになっている。
【０００４】
また、装置持ち運び中の衝撃による機構損傷を防止する衝撃力低減機構を備えた情報記録再生装置が知られている（例えば特許文献２参照）。
この特許文献２に開示された情報記録再生装置では、粒状の固形部材と粘弾性材料とを練り合わせて形成した衝撃吸収部材を装置外周面に備えた構成とされている。装置外周面に衝撃力が加わると、衝撃吸収部材が大きく変形して内部摩擦により衝撃エネルギーを充分に消費し、内部機構の損傷を防止する。また、変形した衝撃吸収部材は、元の形状に修復可能で、繰り返し使用に耐えるようになっている。
【０００５】
さらに、前記特許文献１、特許文献２の各装置とは別に、図１２、図１３に示すような構成のデータカートリッジ装置１１０も知られている。
このデータカートリッジ装置１１０は、リムーバブル磁気ディスク装置（図略）に着脱自在に装着されるものであり、上蓋１１３および下蓋１１２からなるカートリッジシェル１１１を備えて構成されている。このカートリッジシェル１１１の内部にはクッション部材１１４を介して扁平状のカートリッジ本体１１７が設けられている。このカートリッジ本体１１７の長さ方向一端部にはカートリッジ用コネクタ１１７Ａが装備されている。
そして、このカートリッジ用コネクタ１１７Ａと結合されるリムーバブル磁気ディスク装置のディスク側コネクタ（図略）が挿通可能となるように、上蓋１１３および下蓋１１２の一端部の側壁には、それぞれ切欠き部１１３Ａ，１１２Ａが形成されている。
なお、図１２においては、上蓋１１３の切欠き部１１３Ａは記入できないが、切欠き部１１３Ａは１１２Ａと対向しているので、（１１３Ａ）として表示する。
【０００６】
クッション部材１１４は、第１部材１１５と第２部材１１６とで構成されており、これらの各部材１１５，１１６は、例えば低反発形状記憶素材で形成されている。
第１部材１１５と第２部材１１６との互いに対向する内側の側面には、カートリッジ本体１１７の四隅を含み幅方向の両側の縁部を摩擦力で挟持する挟持用溝１１５Ａ，１１６Ａがそれぞれ形成されている。そして、カートリッジ本体１１７は、挟持用溝１１５Ａ，１１６Ａに四隅を含み幅方向の両側の縁部が隙間なく覆われている。
【０００７】
また、第１部材１１５の第２部材１１６においてそれぞれの前後面、上下面、外側面には、各部材１１５，１１６と一体形成されかつそれぞれの先端部が前記上蓋１１３および下蓋１１２の内側面に当接して各部材１１５，１１６とを位置決めする位置決め用突起部１１５ａ等が設けられている。
すなわち、各部材１１５，１１６の前後面には、それぞれ、位置決め用突起部１１５ａ，１１５ａと１１６ａ，１１６ａとが、上下面には、位置決め用突起部１１５ｂ，１１５ｂと１１６ｂ，１１６ｂとが、外側面には、位置決め用突起部１１５ｃ、１１６ｃが設けられている。
これらの位置決め用突起部１１５ａ，１１６ａ、１１５ｂ，１１６ｂ、１１５ｃ，１１６ｃは、各部材１１５，１１６と一体形成され、かつそれぞれの先端部が上記上蓋１１３および下蓋１１２の内側面に当接して第１部材１１５および第２部材１１６をカートリッジシェル１１１に対して位置決めするようになっている。
【０００８】
データカートリッジ装置１１０は以上のような構成となっているので、当該データカートリッジ装置１１０に許容範囲を超える衝撃が加えられた場合、第１部材１１５または第２部材１１６のいずれかの位置決め用突起部１１５ｃ，１１６ｃが弾性変形することで衝撃が吸収されるが、一方でいずれかの位置決め用突起部１１５ｃ，１１６ｃの復元力によりデータカートリッジ装置１１０は初期状態に戻るようになっている。
【０００９】
そして、上記来のデータカートリッジ装置１１０は、図１４に示すような手順でリムーバブル磁気ディスク装置に装着される。
動作がスタートすると、ステップ１（ＳＴ１）でリムーバブル磁気ディスク装置にデータカートリッジ装置１１０を挿入する。
【００１０】
ステップ２（ＳＴ２）で、データカートリッジ装置１０を磁気ディスク装置の正常位置まで装着し、ステップ３（ＳＴ３）で通常使用して正常終了となる。
【先行技術文献】
【特許文献】
【００１１】
【特許文献１】特開２００１−２９８２８８号公報
【特許文献２】特開２００４−２４７０４６号公報
【発明の概要】
【発明が解決しようとする課題】
【００１２】
しかしながら、前記特許文献１に開示された電子部品では、基板の両端部を支持部で上下から挟み込み、基板は支持部の緩衝材との間に働く静止摩擦力により装着されている。そのため、電子部品に衝撃が加えられた際には、支持部の緩衝材と基板との間に滑りが発生し、これにより、基板に加えられた衝撃が緩和されるが、特許文献１における図では、支持部と基板との間の隙間が小さいので、衝撃が加えられた際の滑り量が少ない。
そのため、例えば電子部品に左右いずれかの方向から許容値を超えるような大きな衝撃が加えられた場合、基板は小さな隙間の間で滑るが、基板の端部が支持部の底面部にすぐに突き当たりそれ以上は移動しない。その結果、衝撃は充分には緩和されず、基板に悪影響を及ぼす、という問題がある。
【００１３】
また、前記特許文献２に開示された情報記録再生装置では、装置外周面に衝撃力が加わっても、衝撃吸収部材が大きく変形して内部摩擦により衝撃エネルギーが消費されて内部機構の損傷を防止するように構成されており、さらに、変形した衝撃吸収部材は元の形状に修復可能となっているが、元の形状に修復するまで時間がかかる。
また、変形の度合いにより元の形状に戻る時間も異なる。さらに、はたして元の形状に修復しているのか否かの判断がつき難い。そのため、相手機器に実際に装着して確認することになるが、元の形状に修復していない場合は、情報記録再生装置のコネクタと相手機器のコネクタとを結合できない。そして、両コネクタが結合するまで、何度か装着を実行しなければならず、作業が煩わしいうえに時間も多くかかり、情報記録再生装置を相手機器に装着できるか否かの判断を短時間で確認することができない。その結果、生産性あるいは作業工程に悪影響を及ぼすという問題がある。
【００１４】
さらに、前記図１２、図１３に示すデータカートリッジ装置１１０では、次のような問題がある。
すなわち、カートリッジ本体１１７はその四隅および幅方向の両側の縁部が、第１部材１１５と第２部材１１６とで隙間なく覆われ、一体化された状態となっている。そのため、カートリッジ装置１１０に許容範囲を超える衝撃が加えられた場合、第１部材１１５と第２部材１１６とが弾性変形することで衝撃を吸収する。
【００１５】
そして、所定時間経過後に第１部材１１５と第２部材１１６、ひいてはカートリッジ装置１１０は元の形状に修復するが、この場合、前記特許文献２に開示された情報記録再生装置での問題と略同様の問題点が生じる。
すなわち、カートリッジ装置１１０が元の形状に修復するまで時間がかかるうえ、変形の度合いにより元の形状に戻る時間も異なる。さらに、はたして元の形状に修復しているのか否かの判断がつき難い。そのため、相手機器に実際に装着して確認することになるが、元の形状に修復していない場合は、情報記録再生装置のコネクタと相手機器のコネクタとを結合できない。
そして、両コネクタが結合するまで、何度か装着を実行しなければならず、作業が煩わしいうえに時間も多くかかり、カートリッジ装置１１０を磁気ディスク装置等の相手機器に装着できるか否かの判断を短時間で確認することができない。その結果、生産性あるいは作業工程に悪影響を及ぼすという問題がある。
【００１６】
本発明の目的は、上述した各課題を解決するために、許容値を超える衝撃が加わった際に変形したカートリッジ本体の姿勢を短時間で確認することができ、以後データカートリッジ装置用筐体に装着できないことを容易に知ることができるデータカートリッジ装置を提供することである。
【課題を解決するための手段】
【００１７】
前記目的を達成するために、本願発明のデータカートリッジ装置は、リムーバブル磁気ディスク装置を構成するデータカートリッジ装置用の筐体にカートリッジシェルが着脱自在に装着され、当該カートリッジシェルの内部にクッション部材を介して収納されると共に一端部にコネクタを有する扁平状のカートリッジ本体を備えて構成されたデータカートリッジ装置であって、前記クッション部材を、前記カートリッジ本体の幅方向の両側壁にそれぞれ対向当接された第１部材および第２部材で構成し、これらの第１部材および第２部材に、前記カートリッジ本体の幅方向の各端縁部を摩擦力で挟持する挟持用溝を形成し、これらの挟持用溝を、当該各挟持用溝に前記カートリッジ本体が保持された状態で当該カートリッジ本体の他端部と当接する基点部から前記カートリッジ本体の前記一端部側の終点部に向けて拡がる形状の傾斜溝とすると共に、当該傾斜溝の底面と前記カートリッジ本体の幅方向の両側壁の間に当該カートリッジ本体が移動可能な隙間を設けたことを特徴とする。
【発明の効果】
【００１８】
本願発明のデータカートリッジ装置によれば、カートリッジシェルに許容値を超える衝撃が加わった際、カートリッジシェル内部に第１部材および第２部材を介して収納されたカートリッジ本体が、各部材に形成された挟持用溝の底面とカートリッジ本体の幅方向の両側壁の間に設けられた隙間内を移動し、移動して傾いた姿勢が第１部材および第２部材の摩擦力により保持される。
その結果、衝撃が加わった直後に、傾いた姿勢を目視で確認することにより、またリムーバブル磁気ディスク装置に装着できないことを確認することにより、以後はデータカートリッジ装置をリムーバブル磁気ディスク装置のデータカートリッジ装置用筐体に装着できないことを短時間で確認することができる。そして、生産性あるいは作業工程に及ぼす悪影響を防止することができる。
【図面の簡単な説明】
【００１９】
【図１】本発明に係るデータカートリッジ装置の一実施形態を示し当該データカートリッジ装置とリムーバブル磁気ディスク装置との関係を表す分解斜視図である。
【図２】前記実施形態のデータカートリッジ装置をリムーバブル磁気ディスク装置のデータカートリッジ装置用筐体に装着した状態を示す縦断面図である。
【図３】前記実施形態のデータカートリッジ装置の構成を示す分解斜視図である。
【図４】前記実施形態のデータカートリッジ装置のクッション部材を一部断面した上面平面図である。
【図５】図４におけるＶ−Ｖ線に沿った縦断面図である。
【図６】前記実施形態のデータカートリッジ装置のカートリッジ本体の一側面とクッション部材の凹溝との寸法関係を示す縦断面図である。
【図７】図２においてデータカートリッジ装置のコネクタとリムーバブル磁気ディスク装置のコネクタとが結合する状態の平面を示す模式図である。
【図８】前記実施形態のデータカートリッジ装置のクッション部材に対してカートリッジ本体が一方の方向に移動した状態を示す一部断面の上面平面図である。
【図９】図８におけるIX−IX線に沿った縦断面図である。
【図１０】前記実施形態のデータカートリッジ装置とリムーバブル磁気ディスク装置とが接続される際の状態で両者が接続不可の状態の平面を示す模式図である。
【図１１】前記実施形態のデータカートリッジ装置をリムーバブル磁気ディスク装置に装着する動作を示すフローチャートである。
【図１２】従来のデータカートリッジ装置を示す一部断面の上面平面図である。
【図１３】図１２におけるXIII−XIII線に沿った縦断面図である。
【図１４】従来のデータカートリッジ装置のハードディスクドライブへの装着動作を示すフローチャートである。
【発明を実施するための形態】
【００２０】
以下に、図１〜図１１を参照して、本発明に係るデータカートリッジ装置の一実施形態を説明する。
【００２１】
図１には、リムーバブル磁気ディスク装置（以下、単に磁気ディスク装置という）１を構成するデータカートリッジ装置用筐体（以下、単に筐体という）２と、上記データカートリッジ装置１０との相互関係が示され、図２には、上記筐体２にデータカートリッジ装置１０が装着された状態の縦断面が示されている。
上述のように、磁気ディスク装置１は、筐体２と、本願発明のデータカートリッジ装置１０とを備えて構成されている。
【００２２】
図１、図２に示すように、本実施形態のデータカートリッジ装置１０は、当該データカートリッジ装置１０に落下等により許容値を超える外部からの激しい衝撃が加わった場合に、当該データカートリッジ装置１０を上記筐体２に装着できないように工夫することで、データカートリッジ装置１０が使用できないということをユーザに知らせるものである。
【００２３】
すなわち、データカートリッジ装置１０は、当該データカートリッジ装置１０を構成するクッション部材１４の第１部材１５と第２部材１６とのそれぞれに形成された挟持用溝１５Ａ，１６Ａとカートリッジ本体１７の側端との間に隙間Ｓを設け、その隙間Ｓ内をカートリッジ本体１７が移動できる構造とされている。
そして、隙間Ｓ内でカートリッジ本体１７が移動することで、当該カートリッジ本体１７に装備されているカートリッジ用コネクタ１７Ａと、磁気ディスク装置１の筐体２に装備されているディスク用コネクタ４との位置がずれ、その結果、データカートリッジ装置１０を筐体２に装着することができないようになっている。
【００２４】
まず、磁気ディスク装置１を説明する。
図１、図２に示すように、磁気ディスク装置１は、断面矩形形状で奥底面を有する筒状の筐体２を備えて構成されている。
この筐体２の一方側（データカートリッジ装置１０側）の側面には、データカートリッジ装置１０を取り外し自在に装着するための開口部２Ａが形成されており、他方側の側面２ＢにはＵＳＢコネクタ３が設けられている（図２参照）。そして、このＵＳＢコネクタ３には図示しない外部装置が接続されるようになっている。
【００２５】
図２に示すように、磁気ディスク装置１を構成する筐体２の内部空間には、Ｉ／Ｆ（インタフェース）変換基板４が支持部材５に支持されて配置されており、このＩ／Ｆ変換基板４の一端部は、上記ＵＳＢコネクタ３に接続されている。
また、Ｉ／Ｆ変換基板４の他端部かつ裏面には、前記データカートリッジ装置１０のカートリッジ用コネクタ１７Ａと接続可能なディスク用コネクタ６が設けられている。
さらに、磁気ディスク装置１を構成する筐体２の内部空間には、データカートリッジ装置１０をガイドしかつ支持するためのカートリッジ支持部材７が、前記筐体２の底面部に固定されて設けられている。
【００２６】
次に、前記データカートリッジ装置１０の説明をする。
図３に示すように、データカートリッジ装置１０は、磁気ディスク装置１を構成する筐体２に矢印Ａ方向に沿って移動して着脱自在に装着されるカートリッジシェル１１を備えて構成され、このカートリッジシェル１１の内部にクッション部材１４を介して扁平状のカートリッジ本体１７が設けられている。そして、カートリッジ本体１７の一端部にはカートリッジ用コネクタ１７Ａ（図２，４等参照）が装備されている。
上記カートリッジシェル１１は、下蓋１２と、その下蓋１２に被せられる上蓋１３とで構成されており、下蓋１２および上蓋１３の一端部側（着脱方向前方側）の側面にはコネクタ用開口１２Ａ，１３Ａがそれぞれ形成されている。
【００２７】
図３〜図６に示すように、上記クッション部材１４は第１部材１５と第２部材１６とで構成され、これらの第１部材１５および第２部材１６は、それぞれデータカートリッジ装置１０の幅方向の両側面の内側に配置されている。また、各部材１５，１６の対向する内側面はカートリッジ本体１７の幅方向の両端面と対向当接している。
【００２８】
上記各部材１５，１６は、例えば、ヴィスコエラスティック（商品名）等の低反発形状記憶素材で形成されている。このため、衝撃が加えられることにより各部材１５，１６が変形しても、時間の経過とともに元の形状に戻るようになっている。
【００２９】
各部材１５，１６のそれぞれの内側面には、カートリッジ本体１０の幅方向の両側縁部を挟み込み、かつ摩擦力で保持する挟持用溝１５Ａ，１６Ａがそれぞれ形成されている。
これらの挟持用溝１５Ａ，１６Ａは、図５、図６に示すように断面角溝状に形成されており、また、図４に示すように各部材１５，１６の長手方向の両端部からそれぞれ所定寸法内側に入り込んだ位置にわたって形成されている。
そして、これらの挟持用溝１５Ａ，１６Ａの長さはカートリッジ本体１７の長さより所定寸法長く形成されている。そのため、カートリッジ本体１７が、次に述べる隙間Ｓ内で充分に移動できるようになっている。
【００３０】
挟持用溝１５Ａ，１６Ａは、当該挟持用溝１５Ａ，１６Ａにカートリッジ本体１７が保持された状態で、当該カートリッジ本体１７の他端部と当接する基点Ｐ１からカートリッジ本体１７の一端部側の終点Ｐ２に向けて拡がる形状の傾斜溝に形成されている。
そのため、挟持用溝１５Ａ，１６Ａの傾斜溝の底面とカートリッジ本体１７の幅方向の両側壁の間に傾斜角度がα°の隙間Ｓが形成されており、この隙間Ｓ内をカートリッジ本体１７が移動可能となっている。
【００３１】
ここで、図６に基づいて第１部材１５の挟持用溝１５Ａの幅寸法、および第２部材１６の挟持用溝１６Ａの幅寸法とカートリッジ本体１７の厚さ寸法との関係を説明する。
本実施形態では、カートリッジ本体１７の厚さ寸法がｔ１であるのに対し、挟持用溝１５Ａ，１６Ａの幅寸法はｔ２に設定されている。そのため、カートリッジ本体１７を挟持用溝１５Ａ，１６Ａに保持させる際は、挟持用溝１５Ａ，１６Ａをわずかに押し広げた状態でカートリッジ本体１７を挿入するようになっている。
【００３２】
その後は、カートリッジ本体１７の厚さ方向上下面が挟持用溝１５Ａ，１６Ａによって挟み込まれるので、摩擦力によりカートリッジ本体１７が保持される。このカートリッジ本体１７を保持する摩擦力は、例えば、データカートリッジ装置１０を手に持って軽く振る程度ではカートリッジ本体１７が隙間Ｓ内を移動しないが、データカートリッジ装置１０に、当該データカートリッジ装置１０が落下する等の許容値を超える衝撃が加えられたとき、カートリッジ本体１７が挟持用溝１５Ａ，１６Ａの前記隙間Ｓ内を移動できる程度に設定されている。
【００３３】
ここで、カートリッジ本体１７がずれる摩擦力は、データカートリッジ装置１０を落下させる等のテストを繰り返し、落下したときずれるような摩擦力となるように上記各部材１５，１６の厚さ寸法ｔ２に設定し、その摩擦力を耐衝撃許容値として設定することができる。
【００３４】
図４、図５には、カートリッジ本体１７が上記挟持用溝１５Ａ，１６Ａによって摩擦力により挟み込まれ、正常な姿勢で保持されている状態が示されている。
これらの図４，５に示すように、カートリッジ本体１７の正常な姿勢、つまり、カートリッジ本体１７のコネクタ１７Ａが、前記第１部材１５の内側面と第２部材１６の内側面との間の中央に位置した状態で各部材１５，１６の挟持用溝１５Ａ，１６Ａに保持された状態が示されている。このような状態では、図７に示すように、カートリッジ本体１７のコネクタ１７Ａと、磁気ディスク装置１のＩ／Ｆ変換基板４に装備されているディスク用コネクタ４とが正常に結合され、これにより、データカートリッジ装置１０を磁気ディスク装置１を構成する前記筐体２に装着することができる。
【００３５】
また、図４、図５に示すように、第１部材１５および第２部材１６においてそれぞれの前後面、上下面、外側面には、各部材１５，１６と一体形成されかつそれぞれの先端部が前記上蓋１３および下蓋１２の内側面に当接して各部材１５，１６とを位置決めする位置決め用突起部１５ａ等が設けられている。
すなわち、各部材１５，１６の前後面には、それぞれ、位置決め用突起部１５ａ，１５ａと１６ａ，１６ａとが、上下面には、位置決め用突起部１５ｂ，１５ｂと１６ｂ，１６ｂとが、外側面には、位置決め用突起部１５ｃ、１６ｃが設けられている。
各位置決め用突起部１５ｃ、１６ｃ等は、カートリッジシェル１１が落下する等して当該カートリッジシェル１１に許容値を超える衝撃が加わった場合に圧縮されるが、その後は、ゆっくりと元の形状に戻る。つまり、第１部材１５および第２部材１６をカートリッジシェル１１に対して正常な位置に戻すようになっている。この際、カートリッジ本体１７は、各部材１５，１６の挟持用溝１５Ａ，１６Ａの摩擦力によって保持された状態である。
【００３６】
次に、図８、図９に基づいて、データカートリッジ装置１０を落とす等して、カートリッジシェル１１の左側に外部から許容値を超える激しい衝撃が加えられ、カートリッジ本体１７が図８、図９において左方向に移動した場合を説明する。
カートリッジシェル１１の左側に衝撃が加わった場合、第２部材１６の外側の側面に設けられている位置決め用突起部１６ｃが圧縮されて変形すると共に、カートリッジ本体１７が、各部材１５，１６の挟持用溝１５Ａ，１６Ａの前記隙間Ｓ内を左側に移動し、最大限移動したときは、カートリッジ本体１７の幅方向の一側壁が挟持用溝１６Ａの傾斜の底面に当接する。
このとき、カートリッジ本体１７の幅方向の両側の縁部は、各部材１５，１６の摩擦力により保持され、各部材１５，１６ひいてはカートリッジシェル１１に対して傾いた状態を維持する。
【００３７】
カートリッジシェル１１の左側に衝撃が加わった場合、カートリッジ本体１７が、各部材１５，１６の静止摩擦を超えてカートリッジ本体１７と挟持用溝１５Ａ，１６Ａとの隙間Ｓ内を移動する。そして、カートリッジ本体１７は、ずれた位置のままで各部材１５，１６の摩擦力により保持される。
【００３８】
また、データカートリッジ装置１０では、カートリッジシェル１１を構成する上蓋１３と下蓋１２とのカートリッジ用コネクタ１７Ａの前方には、このコネクタ１７Ａおよびディスク用コネクタ６が挿通可能となるように切欠き部１３Ａ，１２Ａが形成されている。この切欠き部１３Ａ，１２Ａは、当然のことながら各コネクタ１７Ａ，６の外形よりも大きく形成されているので、データカートリッジ装置１０において、カートリッジ本体１７が第１部材１５および第２部材１６のそれぞれの挟持用溝１５Ａ，１６Ａの隙間Ｓ内で移動し、移動した状態、つまり傾いた姿勢で保持されている状態を目視で確認することができる。
【００３９】
その結果、衝撃を受けたデータカートリッジ装置１０が次に使用できるか否かを短時間で確実に確認することができる。この場合、データカートリッジ装置１０を、そのつど磁気ディスク装置１に装着しなくてもよいが、念のため、データカートリッジ装置１０を磁気ディスク装置１に装着して確認してもよい。そして、このように二重のチェックができるので、衝撃を受けたデータカートリッジ装置１０が次回以降使用できるか否かをより確実に知ることができる。
【００４０】
次に、図１０に基づいて、以上のような状態のデータカートリッジ装置１０を磁気ディスク装置１を構成する前記筐体２に装着する際の動作を説明する。
なお、図１０では、データカートリッジ装置１０のカートリッジ本体１７と、磁気ディスク装置１のＩ／Ｆ変換基板４との相互関係、特にカートリッジ用コネクタ１７Ａとディスク用コネクタ６の相互関係のみを図示する。
【００４１】
カートリッジ本体１７が傾いた状態で矢印Ａ方向に沿って前進し、カートリッジ本体１７のコネクタ１７ＡをＩ／Ｆ変換基板４に装備されたディスク用コネクタ６と結合させようとすると、カートリッジ本体１７のカートリッジ用コネクタ１７Ａの一端部とディスク用コネクタ６の一端部とが、カートリッジ用コネクタ１７Ａがディスク用コネクタ６に対して傾いた状態で、かつ寸法ｍだけずれてしまい、その結果、両者１７Ａ，６を結合させることができない。
【００４２】
この寸法ｍのずれは、カートリッジ本体１７（ＳＡＴＡケーブル）側コネクタ１７Ａの両端にある位置決め突起の少なくとも１／２以上となるような寸法に設定されている。つまり、前記各部材１５，１６の挟持用溝１５Ａ，１６Ａの前記傾斜角度α°を、寸法ｍのずれを生じるような角度に設定すればよいことになる。そして、本実施形態では、寸法ｍのずれは２ｍｍ〜３ｍｍに設定されている。
【００４３】
なお、カートリッジ本体１７が傾いた状態となり、引き続き使用できないデータカートリッジ装置１０については、故障したつど、あるいはある程度数がまとまった時点で修復すればよい。
すなわち、例えば、図８に示す状態で、カートリッジ用コネクタ１７Ａと第１部材１５の内側の側面との間に、図示しない専用の冶具を配置し、上蓋１３および下蓋１２のそれぞれの切欠き部１３Ａ，１２Ａから差し込んだ指等で、コネクタ１７Ａを第１部材１５側に動かして当該コネクタ１７Ａの一端を専用の冶具に押し当てればよい。
冶具は、当該冶具をコネクタ１７Ａと第１部材１５の内側の側面との間に配置したとき、コネクタ１７Ａが、第１部材１５の内側の側面と第２部材１６の内側の側面との中央部に位置するような厚さ寸法に形成されていることが好ましい。
【００４４】
次に、図１１に基づいて、データカートリッジ装置１０を、磁気ディスク装置１を構成する前記筐体２に装着する動作を説明する。
動作がスタートすると、ステップ１（ＳＴ１）で磁気ディスク装置１の筐体２にデータカートリッジ装置１０を挿入する。
【００４５】
ステップ２（ＳＴ２）で、データカートリッジ装置１０が正常に装着できたか否かを確認する。この際、カートリッジ本体１７のコネクタ１７Ａとディスク用コネクタ６とが結合しているか否かを確認すればよい。
データカートリッジ装置１０が正常に装着されていることが確認（Ｙ）されたら、次にステップ３（ＳＴ３）で、通常使用して正常終了となる。
【００４６】
ステップ２（ＳＴ２）で、データカートリッジ装置１０が正常に装着できたか否かを確認したとき、図１０に示すように、両コネクタ１７Ａ，６がずれ、データカートリッジ装置１０が磁気ディスク装置１に装着不可（Ｎ）の場合、ステップ４（ＳＴ４）に進み、ユーザがデータカートリッジ装置１０の異常を認識し、異常終了となる。
【００４７】
以上のように構成された本実施形態のデータカートリッジ装置１０によれば、次のような効果が得られる。
（１）データカートリッジ装置１０のカートリッジシェル１１に、当該データカートリッジ装置１０が落下するような許容値を超える衝撃が加わった際、カートリッジシェル１１の内部に第１部材１５および第２部材１６を介して収納されたカートリッジ本体１７が、各部材１５，１６にそれぞれ形成された挟持用溝１５Ａ,１６Ａの底面とカートリッジ本体１７の幅方向の両側壁の間に設けられた隙間Ｓ内を移動し、移動して傾いた姿勢が第１部材１５および第２部材１６の摩擦力により保持される。
その結果、衝撃が加わった直後に、データカートリッジ装置１０を磁気ディスク装置１の筐体２の開口部２Ａから挿入して見て、カートリッジ本体１７が傾いているため装着できないことを短時間で容易に確認することができ、準備してある新たなデータカートリッジ装置を引き続き使用することができる。そして、これにより、生産性あるいは作業工程に及ぼす悪影響を防止することができる。
【００４８】
（２）データカートリッジ装置１０に許容値を超える衝撃が加わり、第１部材１５および第２部材１６の摩擦力により傾いた姿勢のまま保持されたカートリッジ本体１７を、上蓋１３の切欠き部１３Ａおよび下蓋１２の切欠き部１２Ａから見ることができる。その結果、データカートリッジ装置１０を筐体２にその都度挿入しなくても容易に確認することができ、傾いた姿勢のデータカートリッジ装置１０を筐体２に挿入する手間が省ける。
【００４９】
（３）挟持用溝１５Ａ，１６Ａの長さが、カートリッジ本体１７の長さより長く形成されているので、データカートリッジ装置１０の左右いずれかの方向から衝撃力が加わった際、カートリッジ本体１７が挟持用溝１５Ａ，１６Ａの底面に形成された隙間Ｓ内、かつ傾斜角度α°内で移動し、その姿勢で挟持用溝１５Ａ，１６Ａに摩擦力で保持される。その結果、衝撃力が加わったことを正しく認識することができる。
【００５０】
（４）第１部材１５および第２部材１６の挟持用溝１５Ａ，１６Ａの幅寸法ｔ１が、カートリッジ本体１７の厚さ寸法ｔ２以下に形成されており、カートリッジ本体１７を挟持用溝１５Ａ，１６Ａに挿入させれば、各部材１５，１６が低反発記憶素材で形成されているので、その摩擦力でカートリッジ本体１７を保持することができる。その結果、挟持用溝１５Ａ，１６Ａが傾斜溝に形成され、かつ隙間Ｓが形成されていても、カートリッジ本体１７を正常な姿勢、あるいはずれて傾いた姿勢に保持することができる。
【００５１】
（５）挟持用溝１５Ａ，１６Ａの底面とカートリッジ本体１７の幅方向の両端側面との間の隙間Ｓの寸法が、カートリッジシェル１１を磁気ディスク装置１に挿入したときのカートリッジ用コネクタ１７Ａの幅方向の端部とディスク用コネクタ６の幅方向の端部とのずれが、コネクタ１７Ａの両端にある位置決め突起の少なくとも１／２以上となるような寸法に設定されているので、カートリッジ本体１７をずれて傾いた状態で無理やり結合しようとしても、互いを結合できず、その結果、カートリッジ本体１７の以後の使用ができないことを確認することができる。
【００５２】
（６）カートリッジ本体１７が傾いた状態となり、引き続き使用できないデータカートリッジ装置１０については、例えば、カートリッジ用コネクタ１７Ａと第１部材１５の内側の側面との間に冶具を配置し、コネクタ１７Ａを第１部材１５側に動かして当該コネクタ１７Ａの一端を専用の冶具に押し当てることで、正常な姿勢に戻すことができる。その結果、容易に再利用できる。
【００５３】
以上、上記実施形態を参照して本発明を説明したが、本発明は上記実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００５４】
例えば、前記実施形態では、第１部材１５および第２部材１６の前後面にそれぞれ１個の位置決め用突起部１５ａ，１６ａ、上下面にそれぞれ２個の位置決め用突起部１５ｂ，１６ｂ、外側の側面にそれぞれ２個の位置決め用突起部１５ｃ，１６ｃを設けたが、これに限らない。上下面、側面の位置決め用突起部１５ｂ，１６ｂ、１５ｃ，１６ｃを２個以上、例えば３個ずつ設けてもよい。
このようにすれば、データカートリッジ装置１０に例えば左右いずれかの側面から許容値を超える衝撃が加わった際、まず、各位置決め用突起部１５ｃ，１６ｃが変形するが、その位置決め用突起部１５ｃ，１６ｃの数が多いので、元の形に戻る時間が短くてすみ、又、確実に元の形に戻る。
【００５５】
（付記１）
リムーバブル磁気ディスク装置を構成するデータカートリッジ装置用の筐体用の筐体にカートリッジシェルが着脱自在に装着され、当該カートリッジシェルの内部にクッション部材を介して収納されると共に一端部にコネクタを有する扁平状のカートリッジ本体を備えて構成されたデータカートリッジ装置であって、
前記クッション部材を、前記カートリッジ本体の幅方向の両側壁にそれぞれ対向当接された第１部材および第２部材で構成し、
これらの第１部材および第２部材に、前記カートリッジ本体の幅方向の各端縁部を摩擦力で挟持する挟持用溝を形成し、
これらの挟持用溝を、当該各挟持用溝に前記カートリッジ本体が保持された状態で当該カートリッジ本体の他端部と当接する基点部から前記カートリッジ本体の前記一端部側の終点部に向けて拡がる形状の傾斜溝とすると共に、当該傾斜溝の底面と前記カートリッジ本体の幅方向の両側壁の間に当該カートリッジ本体が移動可能な隙間を設けたことを特徴とするデータカートリッジ装置。
【００５６】
（付記２）
付記１に記載したデータカートリッジ装置において、
前記挟持用溝の長さを前記カートリッジ本体の長さより長くしたことを特徴とするデータカートリッジ装置。
【００５７】
（付記３）
付記１または付記２に記載したデータカートリッジ装置において、
前記第１部材および第２部材の前記挟持用溝の幅寸法を、前記カートリッジ本体の厚さ寸法以下としたことを特徴とするデータカートリッジ装置。
【００５９】
（付記４）
付記１ないし付記３のいずれか一つに記載したデータカートリッジ装置において、
前記筐体を下蓋と当該下蓋に被せられる上蓋で構成すると共に、前記第１部材および第２部材のそれぞれの上下面、前後面および前記挟持用溝の反対側の側面に、前記第１部材および第２部材と一体形成されかつそれぞれの先端部が前記下蓋および上蓋の内側面に当接して前記第１部材および第２部材を位置決めする位置決め用突起部を設けたことを特徴とするデータカートリッジ装置。
【００６０】
（付記５）
付記４に記載したデータカートリッジ装置において、
前記下蓋および上蓋の前記カートリッジ本体のコネクタの前方に、当該カートリッジ本体のコネクタに結合する前記リムーバブル磁気ディスク装置のコネクタを挿通可能な切り欠き部を形成すると共にこの切り欠き部から前記カートリッジ本体の移動後の傾きを目視できるようにしたことを特徴とするデータカートリッジ装置。
【００６１】
（付記６）
付記１ないし付記５のいずれか一つに記載したデータカートリッジ装置において、
前記カートリッジ本体のコネクタが前記第１部材および第２部材の中心部に位置するように前記カートリッジ本体を配置したことを特徴とするデータカートリッジ装置。
【産業上の利用可能性】
【００６２】
本願発明は、スロットインでコネクタ結合を採用しているデバイスであれば利用可能である。
【符号の説明】
【００６３】
１  リムーバブル磁気ディスク装置
２  データカートリッジ装置用筐体
６  ディスク用コネクタ
１０  データカートリッジ装置
１１  カートリッジシェル
１２  下蓋
１２Ａ  コネクタ用切欠き部
１３  上蓋
１３Ａ  コネクタ用切欠き部
１４  クッション部材
１５  第１部材
１５Ａ  挟持用溝
１５ａ  位置決め用突起部（前後面用）
１５ｂ  位置決め用突起部（上下面用）
１５ｃ  位置決め用突起部（側面用）
１６  第２部材
１６Ａ  挟持用溝
１６ａ  位置決め用突起部（前後面用）
１６ｂ  位置決め用突起部（上下面用）
１６ｃ  位置決め用突起部（側面用）
１７  カートリッジ本体
１７Ａ  カートリッジ用コネクタ
Ｓ  隙間
【図１】
0005434952.tif 000002
【図２】
0005434952.tif 000003
【図３】
0005434952.tif 000004
【図４】
0005434952.tif 000005
【図５】
0005434952.tif 000006
【図６】
0005434952.tif 000007
【図７】
0005434952.tif 000008
【図８】
0005434952.tif 000009
【図９】
0005434952.tif 000010
【図１０】
0005434952.tif 000011
【図１１】
0005434952.tif 000012
【図１２】
0005434952.tif 000013
【図１３】
0005434952.tif 000014
【図１４】
0005434952.tif 000015